(57)【特許請求の範囲】
【請求項１】
パネル厚さが７５mm以上であり、且つ横方向に一方の辺幅寸法が１００mm×ｎ＋９５mm−１０mm（ｎは正の整数）で、他方の辺幅寸法が１００mm×ｎ＋４５mm−１０mm（ｎは正の整数）である不等辺幅寸法を有して構成したことを特徴とするＡＬＣコーナーパネル。
【請求項２】
横方向に平面パネルが目地部を介して隣設するＡＬＣコーナーパネルの表面に表面材が固着される取付構造において、前記ＡＬＣコーナーパネルは横方向に一方の辺幅寸法が１００mm×ｎ＋９５mm−１０mm（ｎは正の整数）で、他方の辺幅寸法が１００mm×ｎ＋４５mm−１０mm（ｎは正の整数）である不等辺幅寸法を有し、前記ＡＬＣコーナーパネルの表面に横方向に９５mmと４５mmの幅寸法を有して折曲されたＬ字形状の表面材及び横方向に９５mmの幅寸法を有する平板形状の表面材を適宜組み合わせて固着して構成したことを特徴とするＡＬＣコーナーパネルとその表面に固着される表面材の取付構造。
【発明の詳細な説明】
【０００１】
【発明の属する技術分野】
本発明は、建築用ＡＬＣ（軽量気泡コンクリート）コーナーパネル及びＡＬＣコーナーパネルとその表面に固着される表面材の取付構造に関するものである。
【０００２】
【従来の技術】
断熱性や耐火性を確保するために建築物の階間に亘って梁から梁に高さ寸法に応じて縦方向に長く使用する建築用ＡＬＣパネルでは厚さが７５mm以上のＡＬＣ平面パネルを長尺スパンで使用し、それ等のコーナー部でも該ＡＬＣ平面パネルが縦目地部を介して隣設する厚さが７５mm以上のＡＬＣコーナーパネルが使用される。
【０００３】
従来、一般的に使用されているＡＬＣコーナーパネルは、標準的に横方向に３００mm×３００mm程度以上の辺幅寸法を有するものが使用されており、そのＡＬＣコーナーパネルの表面にタイル等の表面材が張り付けられることがある。
【０００４】
一方、ＡＬＣパネルの表面に表面材としてタイル張りをする場合には、該ＡＬＣパネルの母材の引っ張り強度が１０kgf/cm2 程度の比較的低い強度であるため、タイルは厚みが１０mm以下で軽量であることが望ましく、通常は標準的に７mm程度の厚みのタイルが最適であるとして一般的に使用され、ＡＬＣコーナーパネルのコーナー部では横方向に９５mm（長辺）と４５mm（短辺）の幅寸法を有して折曲されたＬ字形状のタイル（縦寸法４５mm；モジュール１００×５０×５０）が使用され、ＡＬＣコーナーパネルの平面部では「５０二丁掛け」と称する平板形状のタイル（横寸法９５mm×縦寸法４５mm；モジュール１００×５０）及び「５０角」と称する平板形状のタイル（横寸法４５mm×縦寸法４５mm；モジュール５０×５０）が使用されている。
【０００５】
【発明が解決しようとする課題】
しかしながら、前述の従来例では、図５及び図６に示して後述するような課題がある。図５において、51は横方向に３００mm×３００mmの寸法を有するＡＬＣコーナーパネルであり、横方向にＡＬＣ平面パネル52が縦目地部53を介して隣設されている。
【０００６】
ＡＬＣコーナーパネル51及びＡＬＣ平面パネル52の表面には３mm程度以下の厚さのモルタル54が設けられ、該モルタル54を介して７mmの厚みを有し、横方向に９５mm（長辺56ａ）と４５mm（短辺56ｂ）の幅寸法を有して折曲されたＬ字形状のタイル（縦寸法４５mm）56を該ＡＬＣコーナーパネル51のコーナー部表面に張り付け、同じく７mmの厚みを有する「５０二丁掛け」と称する平板形状のタイル（横寸法９５mm×縦寸法４５mm）55をＡＬＣコーナーパネル51の平面部表面及びＡＬＣ平面パネル52の表面に張り付ける。
【０００７】
ＡＬＣコーナーパネル51自体の横方向の寸法は３００mm×３００mmであるものの、モルタル54及びタイル55，56の厚さ（３mm＋７mm＝１０mm）が加わって該タイル55，56の表面部位でのコーナー部の横方向の寸法は３１０mm×３１０mmとなり、タイル55，56相互間の縦目地幅を５mmに設定すれば、図５の下側のＡＬＣコーナーパネル51の表面ではＬ字形状のタイル56の長辺56ａと平板形状のタイル55を２枚張り付けて該Ｌ字形状のタイル56の端部から平板形状のタイル55の端部までの横方向の幅寸法は２９５mm（９５mm×３＋５mm×２＝２９５mm）であることからＡＬＣコーナーパネル51の端部位置との寸法差が１５mm（３１０mm−２９５mm＝１５mm）生じる。
【０００８】
また、図５の左側のＡＬＣコーナーパネル51の表面ではＬ字形状のタイル56の短辺56ｂと平板形状のタイル55を２枚張り付け、更に７mmの厚みを有する「５０角」と称する平板形状のタイル（横寸法４５mm×縦寸法４５mm）57を１枚張り付けて該Ｌ字形状のタイル56の端部から平板形状のタイル57の端部までの横方向の幅寸法は２９５mm（９５mm×２＋４５mm×２＋５mm×３＝２９５mm）であることからＡＬＣコーナーパネル51の端部位置との寸法差が同じく１５mm（３１０mm−２９５mm＝１５mm）生じる。
【０００９】
従って、ＡＬＣコーナーパネル51と横方向に隣設するＡＬＣ平面パネル52との取り合いに打つシーリング縦目地部58の幅を広くして対応する必要があるので必要以上に目地幅が大きくなり外観上の美観を低下させるという問題があると共にシーリング材の使用量が増大して材料コストが増大すると共に施工時に十分なシーリング部の押さえが出来ていない場合にはシーリング材の接着不良が生じて漏水が発生する虞がある。
【００１０】
また、横方向の寸法が３００mm×３００mmのＡＬＣコーナーパネル51を使用した場合にはコーナー部の端部から３００mm程度離れた位置にシーリング縦目地部58が現れるので外観上の美観が損なわれるという問題もあった。
【００１１】
図６は他の従来例を示すものであり、横方向に３００mm×３００mmの寸法を有するＡＬＣコーナーパネル51の横方向にＡＬＣ平面パネル52が縦目地部53を介して隣設され、ＡＬＣコーナーパネル51及びＡＬＣ平面パネル52の表面に３mm程度以下の厚さのモルタル54が設けられ、該モルタル54を介してＬ字形状のタイル56を該ＡＬＣコーナーパネル51のコーナー部表面に張り付け、平板形状のタイル55をＡＬＣコーナーパネル51の平面部表面からＡＬＣ平面パネル52の表面に亘って縦目地部53に関係なく連続的に張り付けたものである。
【００１２】
この場合、地震時等で建築物が振動した場合に縦目地部53を通過してＡＬＣコーナーパネル51からＡＬＣ平面パネル52に跨がって張り付けられたタイル55が脱落したり、亀裂が発生して破損する虞があり、地震がおさまった後で脱落したり破損した部分を補修する作業が必要となるという問題がある。
【００１３】
本発明は前記課題を解決するものであり、その目的とするところは、平面パネルとＡＬＣコーナーパネルとの間の目地部と平面パネル及びＡＬＣコーナーパネルの表面に張り付けた表面材間のシーリング目地部との位置を確実に一致させることでＡＬＣコーナーパネルと横方向に隣設する平面パネルとの取り合いに打つシーリング目地部の幅を必要以上に大きくすることなく、コーナー部の端部から近接した位置にシーリング目地部を設けて建築物の外観上の美観を向上させたＡＬＣコーナーパネル及びＡＬＣコーナーパネルとその表面に固着される表面材の取付構造を提供せんとするものである。
【００１４】
【課題を解決するための手段】
前記目的を達成するための本発明に係るＡＬＣコーナーパネルはパネル厚さが７５mm以上であり、且つ横方向に一方の辺幅寸法が１００mm×ｎ＋９５mm−１０mm（ｎは正の整数）で、他方の辺幅寸法が１００mm×ｎ＋４５mm−１０mm（ｎは正の整数）である不等辺幅寸法を有して構成したことを特徴とする。
【００１８】
また、本発明に係るＡＬＣコーナーパネルとその表面に固着される表面材の取付構造は、横方向に平面パネルが目地部を介して隣設するＡＬＣコーナーパネルの表面に表面材が固着される取付構造において、前記ＡＬＣコーナーパネルは横方向に５０mm×ｎ＋４５mm−１０mm（ｎは正の整数）の等辺幅寸法を有し、前記ＡＬＣコーナーパネルの表面に横方向に９５mmと４５mmの幅寸法を有して折曲されたＬ字形状の表面材及び横方向に９５mm、４５mmの夫々の幅寸法を有する平板形状の表面材を適宜組み合わせて固着して構成したことを特徴とする。
【００１９】
上記構成において、ＡＬＣコーナーパネルの横方向の等辺幅寸法Ｗｎは以下に示す▲１▼式の「ｎ」の値を適宜選択することにより設定される。
【００２０】
【数１】
0004010635.tif 000002
【００２１】
ここで、前記▲１▼式で「ｎ＝１」とすると、Ｗｎ＝８５mmとなり、ＡＬＣ平面パネル及びＡＬＣコーナーパネルの表面には３mmの厚さのモルタルが設けられ、該モルタルを介して７mmの厚みを有し、横方向に９５mmと４５mmの幅寸法を有して折曲されたＬ字形状の表面材（以下、「タイル」を例示する。）（縦寸法４５mm）を該ＡＬＣコーナーパネルのコーナー部表面に張り付ける。
【００２２】
ＡＬＣコーナーパネル自体の横方向の幅寸法は８５mm×８５mmであるものの、モルタル及びＬ字形状のタイルの厚さ（３mm＋７mm＝１０mm）が加わって該タイルの表面部位でのコーナー部の横方向の幅寸法は９５mm（８５mm＋１０mm＝９５mm）となり、Ｌ字形状のタイルの一方の辺（長辺）の横方向の幅寸法９５mmと一致させることが出来る。
【００２３】
また、横方向に４５mmの幅寸法を有するＬ字形状のタイルの他方の辺（短辺）に横方向に隣設して縦目地幅を５mmに設定し、横方向に４５mmの幅寸法を有する厚さ７mmの平板形状のタイル（縦寸法４５mm）をＡＬＣコーナーパネルの平面部表面に張り付ける。
【００２４】
ここでも同様にＡＬＣコーナーパネル自体の横方向の幅寸法は８５mm×８５mmであるものの、モルタル及びＬ字形状のタイルの厚さ（３mm＋７mm＝１０mm）が加わって両タイルの表面部位でのコーナー部の横方向の幅寸法は９５mm（８５mm＋１０mm＝９５mm）となり、Ｌ字形状のタイルの他方の辺（短辺）の横方向の幅寸法４５mmと、平板形状のタイルの横方向の幅寸法４５mmと、縦目地幅５mmとを加えると９５mm（４５mm×２＋５mm）となり、両者の横方向の幅寸法を一致させることが出来る。
【００２５】
尚、ＡＬＣコーナーパネルの横方向に隣設されるＡＬＣ平面パネルの表面には横方向に９５mmの幅寸法を有する厚さ７mmの平板形状のタイル（縦寸法４５mm）を縦目地幅５mmのピッチで必要な枚数張り付ける。
【００２６】
これにより、ＡＬＣ平面パネルとＡＬＣコーナーパネルとの間の縦目地部とＡＬＣ平面パネル及びＡＬＣコーナーパネルの表面に張り付けたタイル間のシーリング縦目地部との位置を確実に一致させることが出来、従来例のように必要以上に縦目地幅が大きくなることがないので建築物の外観上の美観を維持することが出来、シーリング材の使用量を低減して材料コストを低減すると共に施工時に十分なシーリング部の押さえが出来るのでシーリング材の接着不良が生じることもなく漏水の発生を未然に防止することが出来る。
【００２７】
また、横方向の幅寸法が８５mm×８５mmのＡＬＣコーナーパネルを使用したことでコーナー部の端部から９５mm程度離れた極めて近接した位置にシーリング縦目地部がコーナー左右の壁に対称的に現れるので建築物の外観上の美観を向上させることが出来る。
【００２８】
また、ＡＬＣ平面パネルの表面に張り付けたタイルとＡＬＣコーナーパネルの表面に張り付けたタイルとがＡＬＣ平面パネルとＡＬＣコーナーパネルとの間の縦目地部及びこれに対応する各タイル間のシーリング縦目地部を介して完全に分離した構造であるので地震時等で建築物が振動した場合にタイルが脱落したり、亀裂が発生して破損する虞がなく地震がおさまった後の補修作業も必要ない。
【００２９】
次に、前記▲１▼式で「ｎ＝２」とすると、Ｗｎ＝１３５mmとなり、ＡＬＣ平面パネル及びＡＬＣコーナーパネルの表面には前述と同様に３mmの厚さのモルタルが設けられ、該モルタルを介して７mmの厚みを有し、横方向に９５mmと４５mmの幅寸法を有して折曲されたＬ字形状のタイル（縦寸法４５mm）を該ＡＬＣコーナーパネルのコーナー部表面に張り付け、更に横方向に９５mmの幅寸法を有するＬ字形状のタイルの一方の辺（長辺）に横方向に隣設して縦目地幅を５mmに設定し、横方向に４５mmの幅寸法を有する厚さ７mmの平板形状のタイル（縦寸法４５mm）をＡＬＣコーナーパネルの平面部表面に張り付ける。
【００３０】
ＡＬＣコーナーパネル自体の横方向の幅寸法は１３５mm×１３５mmであるものの、モルタル及びＬ字形状のタイルの厚さ（３mm＋７mm＝１０mm）が加わって両タイルの表面部位でのコーナー部の横方向の幅寸法は１４５mm（１３５mm＋１０mm＝１４５mm）となり、Ｌ字形状のタイルの一方の辺（長辺）の横方向の幅寸法９５mmと、平板形状のタイルの横方向の幅寸法４５mmと、縦目地幅５mmとを加えると１４５mm（９５mm＋４５mm＋５mm）となり、両者の横方向の幅寸法を一致させることが出来る。
【００３１】
また、横方向に４５mmの幅寸法を有するＬ字形状のタイルの他方の辺（短辺）に横方向に隣設して縦目地幅を５mmに設定し、横方向に９５mmの幅寸法を有する厚さ７mmの平板形状のタイル（縦寸法４５mm）をＡＬＣコーナーパネルの平面部表面に張り付ける。
【００３２】
ここでも同様にＡＬＣコーナーパネル自体の横方向の幅寸法は１３５mm×１３５mmであるものの、モルタル及びＬ字形状のタイルの厚さ（３mm＋７mm＝１０mm）が加わって両タイルの表面部位でのコーナー部の横方向の幅寸法は１４５mm（１３５mm＋１０mm＝１４５mm）となり、Ｌ字形状のタイルの他方の辺（短辺）の横方向の幅寸法４５mmと、平板形状のタイルの横方向の幅寸法９５mmと、縦目地幅５mmとを加えると１４５mm（４５mm＋９５mm＋５mm）となり、両者の横方向の幅寸法を一致させることが出来る。
【００３３】
尚、ＡＬＣコーナーパネルの横方向に隣設されるＡＬＣ平面パネルの表面には前述と同様に横方向に９５mmの幅寸法を有する厚さ７mmの平板形状のタイル（縦寸法４５mm）を縦目地幅５mmのピッチで必要な枚数張り付ける。
【００３４】
これにより、横方向の幅寸法が１３５mm×１３５mmのＡＬＣコーナーパネルを使用したことでコーナー部の端部から１４５mm程度離れた極めて近接した位置にシーリング縦目地部がコーナー左右の壁に対称的に現れるので建築物の外観上の美観を向上させることが出来る上、前述と同様な作用効果を得ることが出来る。
【００３５】
次に、前記▲１▼式で「ｎ＝３」とすると、Ｗｎ＝１８５mmとなり、ＡＬＣ平面パネル及びＡＬＣコーナーパネルの表面には前述と同様に３mmの厚さのモルタルが設けられ、該モルタルを介して７mmの厚みを有し、横方向に９５mmと４５mmの幅寸法を有して折曲されたＬ字形状のタイル（縦寸法４５mm）を該ＡＬＣコーナーパネルのコーナー部表面に張り付け、更に横方向に９５mmの幅寸法を有するＬ字形状のタイルの一方の辺（長辺）に横方向に隣設して縦目地幅を５mmに設定し、横方向に９５mmの幅寸法を有する厚さ７mmの平板形状のタイル（縦寸法４５mm）をＡＬＣコーナーパネルの平面部表面に張り付ける。
【００３６】
ＡＬＣコーナーパネル自体の横方向の幅寸法は１８５mm×１８５mmであるものの、モルタル及びＬ字形状のタイルの厚さ（３mm＋７mm＝１０mm）が加わって両タイルの表面部位でのコーナー部の横方向の幅寸法は１９５mm（１８５mm＋１０mm＝１９５mm）となり、Ｌ字形状のタイルの一方の辺（長辺）の横方向の幅寸法９５mmと、平板形状のタイルの横方向の幅寸法９５mmと、縦目地幅５mmとを加えると１９５mm（９５mm＋９５mm＋５mm）となり、両者の横方向の幅寸法を一致させることが出来る。
【００３７】
また、横方向に４５mmの幅寸法を有するＬ字形状のタイルの他方の辺（短辺）に横方向に隣設して縦目地幅を５mmに設定し、横方向に９５mmの幅寸法を有する厚さ７mmの平板形状のタイルをＡＬＣコーナーパネルの平面部表面に張り付け、更に該平板形状のタイルに横方向に隣設して縦目地幅を５mmに設定し、横方向に４５mmの幅寸法を有する厚さ７mmの平板形状のタイル（縦寸法４５mm）をＡＬＣコーナーパネルの平面部表面に張り付ける。
【００３８】
ここでも同様にＡＬＣコーナーパネル自体の横方向の幅寸法は１８５mm×１８５mmであるものの、モルタル及び平板形状及びＬ字形状のタイルの厚さ（３mm＋７mm＝１０mm）が加わって各タイルの表面部位でのコーナー部の横方向の幅寸法は１９５mm（１８５mm＋１０mm＝１９５mm）となり、Ｌ字形状のタイルの他方の辺（短辺）の横方向の幅寸法４５mmと、平板形状のタイルの横方向の幅寸法９５mm及び４５mmと、各縦目地幅５mmとを加えると１９５mm（４５mm×２＋９５mm＋５mm×２）となり、両者の横方向の幅寸法を一致させることが出来る。
【００３９】
尚、ＡＬＣコーナーパネルの横方向に隣設されるＡＬＣ平面パネルの表面には前述と同様に横方向に９５mmの幅寸法を有する厚さ７mmの平板形状のタイル（縦寸法４５mm）を縦目地幅５mmのピッチで必要な枚数張り付ける。
【００４０】
これにより、横方向の幅寸法が１８５mm×１８５mmのＡＬＣコーナーパネルを使用したことでコーナー部の端部から１９５mm程度離れた極めて近接した位置にシーリング縦目地部がコーナー左右の壁に対称的に現れるので建築物の外観上の美観を向上させることが出来る上、前述と同様の作用効果を得ることが出来る。
【００４１】
尚、同様に前記▲１▼式で「ｎ＝４，５，６，……」とすると、ＡＬＣコーナーパネルの横方向の等辺幅寸法Ｗｎが適宜設定され、前述と同様にＡＬＣ平面パネル及びＡＬＣコーナーパネルの表面に前述と同様に３mmの厚さのモルタルを設け、該モルタルを介して７mmの厚みを有し、横方向に９５mmと４５mmの幅寸法を有して折曲されたＬ字形状のタイル（縦寸法４５mm）を該ＡＬＣコーナーパネルのコーナー部表面に張り付け、更に横方向に９５mm、４５mmの夫々の幅寸法を有する平板形状のタイル（縦寸法４５mm）をＡＬＣコーナーパネルの平面部表面に必要な所定枚数だけ適宜組み合わせて張り付けることで前述と同様な作用効果を得ることが出来る。
【００４２】
ただし、コーナー部の端部から近接した位置にシーリング縦目地部がコーナー左右の壁に対称的に現れて建築物の外観上の美観を向上させることが出来る限度はＡＬＣコーナーパネルの横方向の幅寸法が１９０mm×１９０mm以下であることが望ましく、前記▲１▼式で「ｎ≧４」とすると、ＡＬＣコーナーパネルの横方向の等辺幅寸法「Ｗｎ≧２３５mm」となってやや外観上の美観は低下するものの前述と同様にＡＬＣコーナーパネルとＡＬＣ平面パネルとの間の縦目地部とＡＬＣコーナーパネル及びＡＬＣ平面パネルの表面に張り付けたタイル間のシーリング縦目地部の位置とを確実に一致させることが出来、従来例のように必要以上に縦目地幅が大きくなることがないので建築物の外観上の美観を維持することが出来る。
【００４３】
また、本発明に係るＡＬＣコーナーパネルとその表面に固着される表面材の取付構造の他の構成は、横方向に平面パネルが目地部を介して隣設するＡＬＣコーナーパネルの表面に表面材が固着される取付構造において、前記ＡＬＣコーナーパネルは横方向に一方の辺幅寸法が１００mm×ｎ＋９５mm−１０mm（ｎは正の整数）で、他方の辺幅寸法が１００mm×ｎ＋４５mm−１０mm（ｎは正の整数）である不等辺幅寸法を有し、前記ＡＬＣコーナーパネルの表面に横方向に９５mmと４５mmの幅寸法を有して折曲されたＬ字形状の表面材及び横方向に９５mmの幅寸法を有する平板形状の表面材を適宜組み合わせて固着して構成したことを特徴とする。
【００４４】
上記構成において、ＡＬＣコーナーパネルの横方向の不等辺幅寸法Ｗan（長辺側）及びＷbn（短辺側）は以下に示す▲２▼，▲３▼式の「ｎ」の値を適宜選択することにより設定される。
【００４５】
【数２】
0004010635.tif 000003
【００４６】
ここで、▲２▼，▲３▼式で「ｎ＝１」とすると、Ｗan＝１８５mm、Ｗbn＝１３５mmとなり、ＡＬＣ平面パネル及びＡＬＣコーナーパネルの表面には３mmの厚さのモルタルが設けられ、該モルタルを介して７mmの厚みを有し、横方向に９５mmと４５mmの幅寸法を有して折曲されたＬ字形状のタイル（縦寸法４５mm）を該Ｌ字形状のタイルの長辺とＡＬＣコーナーパネルの長辺同士が対応するように該ＡＬＣコーナーパネルのコーナー部表面に張り付け、更に横方向に９５mmの幅寸法を有するＬ字形状のタイルの一方の辺（長辺）に横方向に隣設して縦目地幅を５mmに設定し、横方向に９５mmの幅寸法を有する厚さ７mmの平板形状のタイル（縦寸法４５mm）をＡＬＣコーナーパネルの平面部表面に張り付ける。
【００４７】
ＡＬＣコーナーパネル自体の横方向の長辺の幅寸法は１８５mmであるものの、モルタル及びＬ字形状のタイルの厚さ（３mm＋７mm＝１０mm）が加わって両タイルの表面部位でのコーナー部の横方向の長辺側の幅寸法は１９５mm（１８５mm＋１０mm＝１９５mm）となり、Ｌ字形状のタイルの一方の辺（長辺）の横方向の幅寸法９５mmと、平板形状のタイルの横方向の幅寸法９５mmと、縦目地幅５mmとを加えると１９５mm（９５mm＋９５mm＋５mm）となり、両者の横方向の幅寸法を一致させることが出来る。
【００４８】
また、横方向に４５mmの幅寸法を有する前記Ｌ字形状のタイルの他方の辺（短辺）に横方向に隣設して縦目地幅を５mmに設定し、横方向に９５mmの幅寸法を有する厚さ７mmの平板形状のタイル（縦寸法４５mm）をＡＬＣコーナーパネルの平面部表面に張り付ける。
【００４９】
ＡＬＣコーナーパネル自体の横方向の短辺の幅寸法は１３５mmであるものの、モルタル及びＬ字形状のタイルの厚さ（３mm＋７mm＝１０mm）が加わって両タイルの表面部位でのコーナー部の横方向の短辺側の幅寸法は１４５mm（１３５mm＋１０mm＝１４５mm）となり、Ｌ字形状のタイルの一方の辺（短辺）の横方向の幅寸法４５mmと、平板形状のタイルの横方向の幅寸法９５mmと、縦目地幅５mmとを加えると１４５mm（４５mm＋９５mm＋５mm）となり、両者の横方向の幅寸法を一致させることが出来る。
【００５０】
尚、ＡＬＣコーナーパネルの横方向に隣設されるＡＬＣ平面パネルの表面には前述と同様に横方向に９５mmの幅寸法を有する厚さ７mmの平板形状のタイル（縦寸法４５mm）を縦目地幅５mmのピッチで必要な枚数張り付ける。
【００５１】
これにより、前述と同様にＡＬＣ平面パネルとＡＬＣコーナーパネルとの間の縦目地部とＡＬＣ平面パネル及びＡＬＣコーナーパネルの表面に張り付けた各タイル間のシーリング縦目地部との位置を確実に一致させることが出来、従来例のように必要以上に縦目地幅が大きくなることがないので建築物の外観上の美観を維持することが出来、シーリング材の使用量を低減して材料コストを低減すると共に施工時に十分なシーリング部の押さえが出来るのでシーリング材の接着不良が生じることもなく漏水の発生を未然に防止することが出来る。
【００５２】
また、横方向の長辺の幅寸法が１８５mm、短辺の幅寸法が１３５mmの不等辺幅寸法を有するＡＬＣコーナーパネルを使用したことでシーリング縦目地部がコーナー左右の壁に非対称的に現れるので建築物の外観上の美観は前述の等辺幅寸法を有するＡＬＣコーナーパネルを使用した場合と比較してやや低下するものの該シーリング縦目地部がコーナー部の端部から極めて近接した位置に現れるので外観上の美観が向上し、使用するタイルの種類を削減することが出来るので部品コストを低減することが出来る。
【００５３】
また、ＡＬＣ平面パネルの表面に張り付けたタイルとＡＬＣコーナーパネルの表面に張り付けたタイルとがＡＬＣ平面パネルとＡＬＣコーナーパネルとの間の縦目地部及びこれに対応する各タイル間のシーリング縦目地部を介して完全に分離した構造であるので地震時等で建築物が振動した場合にタイルが脱落したり、亀裂が発生して破損する虞がなく地震がおさまった後の補修作業も必要ない。
【００５４】
尚、同様に前記▲２▼，▲３▼式で「ｎ＝２，３，４，……」とすると、ＡＬＣコーナーパネルの横方向の不等辺幅寸法Ｗan、Ｗbnが適宜設定され、前述と同様にＡＬＣ平面パネル及びＡＬＣコーナーパネルの表面に３mmの厚さのモルタルを設け、該モルタルを介して７mmの厚みを有し、横方向に９５mm（長辺）と４５mm（短辺）の幅寸法を有して折曲されたＬ字形状のタイル（縦寸法４５mm）を該Ｌ字形状のタイルの長辺とＡＬＣコーナーパネルの長辺同士が対応するように該ＡＬＣコーナーパネルのコーナー部表面に張り付け、更に横方向に９５mmの幅寸法を有する平板形状のタイル（縦寸法４５mm）をＡＬＣコーナーパネルの平面部表面に必要な枚数だけ張り付けることで前述と同様な作用効果を得ることが出来る。
【００５５】
前記▲２▼，▲３▼式で「ｎ≧２」とすると、ＡＬＣコーナーパネルの横方向の不等辺幅寸法「Ｗan≧２８５mm、Ｗbn≧２３５mm」となって建築物の外観上の美観はやや低下するものの前述と同様にＡＬＣ平面パネルとＡＬＣコーナーパネルとの間の縦目地部とＡＬＣ平面パネル及びＡＬＣコーナーパネルの表面に張り付けた各タイル間のシーリング縦目地部の位置とを確実に一致させることが出来、従来例のように必要以上に縦目地幅が大きくなることがないので外観上の美観を維持することが出来る上、前述と同様な作用効果を得ることが出来る。
【００５６】
また、前記ＡＬＣコーナーパネルのパネル厚さを７５mm以上で構成した場合には、建築物のコーナー部分の耐火性能を２時間耐火以上の性能として確保することが出来、前記ＡＬＣコーナーパネルを横方向に１９０mm以下の辺幅寸法で構成した場合には、コーナー部の端部から１９０mm程度以内の範囲で離れた極めて近接した位置にシーリング目地部が現れるので建築物の外観上の美観を向上させることが出来る。
【００５７】
尚、以上の説明では３mmの厚さのモルタルと７mmの厚さのタイルを用いる場合について説明したが、タイルの厚さは１０mm以下であれば良く、タイルの厚さに応じてモルタルの厚さを調整してタイルを張り付けることが可能である。例えば、９mmの厚さのタイルを用いてモルタルの厚さを１mmとしてタイルを張り付けることにより、モルタル及びタイルの厚さの合計を１０mmに調整することが出来る。
【００５８】
【発明の実施の形態】
図により本発明に係るＡＬＣコーナーパネル及びＡＬＣコーナーパネルとその表面に固着される表面材の取付構造の一例として建築用ＡＬＣコーナーパネルの表面に表面材としてタイルが固着される場合の取付構造の一実施形態を具体的に説明する。図１は本発明に係るＡＬＣコーナーパネルとその表面に固着される表面材の取付構造の第１実施形態の構成を示す横断面説明図、図２（ａ）〜（ｃ）は各種タイルの構成を示す斜視図、図３は本発明に係るＡＬＣコーナーパネルとその表面に固着される表面材の取付構造の第２実施形態の構成を示す横断面説明図、図４は本発明に係るＡＬＣコーナーパネルとその表面に固着される表面材の取付構造の第３実施形態の構成を示す横断面説明図である。
【００５９】
図１において、ＡＬＣ平面パネル１及びＡＬＣコーナーパネル２は断熱性や耐火性を確保するために厚さが７５mm以上で建築物の階間に亘って梁から梁に高さ寸法に応じて縦方向に長く使用する建築用ＡＬＣ（軽量気泡コンクリート）パネルで構成されており、長尺スパンで使用される。
【００６０】
ＡＬＣコーナーパネル２のパネル厚さを７５mm以上で構成した場合には、建築物のコーナー部分の耐火性能を２時間耐火以上の性能として確保することが出来、有利である。
【００６１】
建築物のコーナー部に配置されるＡＬＣコーナーパネル２は横方向に直交して隣設されるＡＬＣ平面パネル１に対してガスケットやシーリング等によりシールされた縦目地部３を介して接続されている。
【００６２】
ＡＬＣ平面パネル１及びＡＬＣコーナーパネル２の外表面には接着剤としてモルタル４を介して表面材となるタイル５，６，７が張り付けて固着されている。尚、以下の各実施形態では表面材の一例としてタイル５，６，７を適用した場合について説明するが、ガラス材や石材或いは木材等の他の種々の材質で構成される表面材が適用出来、更には接着剤の一例として示したモルタル４以外でも各種の接着剤を適宜使用することが可能であるためこれらの材質に限定されるものではない。
【００６３】
ＡＬＣ平面パネル１やＡＬＣコーナーパネル２のＡＬＣパネルの表面に表面材としてタイル張りをする場合には、該ＡＬＣパネルの母材の引っ張り強度が１０kgf/cm2 程度の比較的低い強度であるため、各タイル５，６，７は厚みが１０mm以下で軽量であることが望ましく、本実施形態では７mmの厚みのタイル５，６，７を使用している。
【００６４】
図１及び図２（ａ）〜（ｃ）に示すように、ＡＬＣコーナーパネル２のコーナー部では７mmの厚みを有し、横方向に長辺５ａと短辺５ｂとが直角に折曲されたＬ字形状のタイル（長辺横寸法９５mm×短辺横寸法４５mm×縦寸法４５mm；モジュール１００×５０×５０）５が使用され、ＡＬＣ平面パネル１及びＡＬＣコーナーパネル２の平面部では「５０二丁掛け」と称する７mmの厚みを有する平板形状のタイル（横寸法９５mm×縦寸法４５mm；モジュール１００×５０）６と、「５０角」と称する同じく７mmの厚みを有する平板形状のタイル（横寸法４５mm×縦寸法４５mm；モジュール５０×５０）７とが使用される。
【００６５】
ここで、第１発明ではＡＬＣコーナーパネル２は横方向に５０mm×ｎ＋４５mm−１０mm（ｎは正の整数）の等辺幅寸法を有し、該ＡＬＣコーナーパネル２の表面に横方向にＬ字形状のタイル５及び平板形状のタイル６，７を適宜組み合わせて固着して構成したものである。
【００６６】
上記構成において、ＡＬＣコーナーパネル２の横方向の等辺幅寸法Ｗｎは以下に示す▲１▼式の「ｎ」の値を適宜選択することにより設定される。
【００６７】
【数３】
0004010635.tif 000004
【００６８】
図１に示した本実施形態はその一例を示すものであり、前記▲１▼式で「ｎ＝３」とすると、Ｗｎ＝１８５mmとなり、ＡＬＣ平面パネル１及びＡＬＣコーナーパネル２の表面には３mmの厚さのモルタル４が設けられ、該モルタル４を介してＬ字形状のタイル５を該ＡＬＣコーナーパネル２のコーナー部表面に張り付け、更にＬ字形状のタイル５の長辺５ａに横方向に隣設して縦目地幅を５mmに設定し、横方向に平板形状のタイル６をＡＬＣコーナーパネル２の平面部表面に張り付ける（図１の下側面参照）。
【００６９】
ＡＬＣコーナーパネル２自体の横方向の幅寸法は１８５mm×１８５mmであるものの、モルタル４及びＬ字形状のタイル５の厚さ（３mm＋７mm＝１０mm）が加わって両タイル５，６の表面部位でのコーナー部の横方向の幅寸法は１９５mmとなり、Ｌ字形状のタイル５の長辺５ａの横方向の幅寸法９５mmと、平板形状のタイル６の横方向の幅寸法９５mmと、縦目地幅５mmとを加えると１９５mm（９５mm＋９５mm＋５mm）となり、両者の横方向の幅寸法を一致させることが出来る。
【００７０】
また、Ｌ字形状のタイル５の短辺５ｂに横方向に隣設して縦目地幅を５mmに設定し、平板形状のタイル６をＡＬＣコーナーパネル２の平面部表面に張り付け、更に該平板形状のタイル６に横方向に隣設して縦目地幅を５mmに設定し、横方向に平板形状のタイル７をＡＬＣコーナーパネル２の平面部表面に張り付ける（図１の左側面参照）。
【００７１】
ここでも同様にＡＬＣコーナーパネル２自体の横方向の幅寸法は１８５mm×１８５mmであるものの、モルタル４及びＬ字形状のタイル５の厚さ（３mm＋７mm＝１０mm）が加わって各タイル５，６，７の表面部位でのコーナー部の横方向の幅寸法は１９５mmとなり、Ｌ字形状のタイル５の短辺５ｂの横方向の幅寸法４５mmと、平板形状のタイル６，７の横方向の幅寸法９５mm及び４５mmと、２箇所の各縦目地幅５mmとを加えると１９５mm（４５mm×２＋９５mm＋５mm×２）となり、両者の横方向の幅寸法を一致させることが出来る。
【００７２】
尚、ＡＬＣコーナーパネル２の横方向に隣設されるＡＬＣ平面パネル１の表面には横方向に平板形状のタイル６が縦目地幅５mmのピッチで必要な枚数張り付けられ、ＡＬＣコーナーパネル２の表面両端部に張り付けられた平板形状のタイル６，７とＡＬＣ平面パネル１の表面端部に張り付けられた平板形状のタイル６とは縦目地部３に対応する位置でシーリング縦目地部８により接続される。
【００７３】
これにより、ＡＬＣ平面パネル１とＡＬＣコーナーパネル２との間の縦目地部３とＡＬＣ平面パネル１及びＡＬＣコーナーパネル２の表面に張り付けた各タイル間のシーリング縦目地部８の位置とを確実に一致させることが出来、従来例のように必要以上に縦目地幅が大きくなることがないので外観上の美観を維持することが出来、シーリング材の使用量を低減して材料コストを低減すると共に施工時に十分なシーリング部の押さえが出来るのでシーリング材の接着不良が生じることもなく漏水の発生を未然に防止することが出来る。
【００７４】
また、横方向の幅寸法が１８５mm×１８５mmのＡＬＣコーナーパネル２を使用したことでコーナー部の端部から１９５mm程度離れた極めて近接した位置にシーリング縦目地部８がコーナー左右の壁に対称的に現れるので建築物の外観上の美観を向上させることが出来る。
【００７５】
また、ＡＬＣ平面パネル１の表面に張り付けた平板形状のタイル６とＡＬＣコーナーパネル２の表面に張り付けた各タイル５，６，７とがＡＬＣ平面パネル１とＡＬＣコーナーパネル２との間の縦目地部３及びこれに対応する各タイル間のシーリング縦目地部８を介して完全に分離した構造であるので地震時等で建築物が振動した場合にタイルが脱落したり、亀裂が発生して破損する虞がなく地震がおさまった後の補修作業も必要ない。
【００７６】
次に図３を用いて本発明に係るＡＬＣコーナーパネル及びＡＬＣコーナーパネルとその表面に固着される表面材の取付構造の第２実施形態について説明する。尚、前記第１実施形態と同様に構成したものは同一の符号を付して説明を省略する。
【００７７】
本実施形態では、前記▲１▼式で「ｎ＝２」とした場合であり、この時、ＡＬＣコーナーパネル２の横方向の等辺幅寸法Ｗｎ＝１３５mmとなる。ＡＬＣ平面パネル１及びＡＬＣコーナーパネル２の表面には前述と同様に３mmの厚さのモルタル４が設けられ、該モルタル４を介してＬ字形状のタイル５をＡＬＣコーナーパネル２のコーナー部表面に張り付け、更に該Ｌ字形状のタイル５の長辺５ａに横方向に隣設して縦目地幅を５mmに設定し、横方向に平板形状のタイル７をＡＬＣコーナーパネル２の平面部表面に張り付ける（図３の下側面参照）。
【００７８】
ＡＬＣコーナーパネル２自体の横方向の幅寸法は１３５mm×１３５mmであるものの、モルタル４及びＬ字形状のタイル５の厚さ（３mm＋７mm＝１０mm）が加わって両タイル５，７の表面部位でのコーナー部の横方向の幅寸法は１４５mm（１３５mm＋１０mm＝１４５mm）となり、Ｌ字形状のタイル５の長辺５ａの横方向の幅寸法９５mmと、平板形状のタイル７の横方向の幅寸法４５mmと、縦目地幅５mmとを加えると１４５mm（９５mm＋４５mm＋５mm）となり、両者の横方向の幅寸法を一致させることが出来る。
【００７９】
また、前記Ｌ字形状のタイル５の短辺５ｂに横方向に隣設して縦目地幅を５mmに設定し、横方向に平板形状のタイル６をＡＬＣコーナーパネル２の平面部表面に張り付ける（図３の左側面参照）。
【００８０】
ここでも同様にＡＬＣコーナーパネル２自体の横方向の幅寸法は１３５mm×１３５mmであるものの、モルタル４及びＬ字形状のタイル５の厚さ（３mm＋７mm＝１０mm）が加わって両タイル５，６の表面部位でのコーナー部の横方向の幅寸法は１４５mm（１３５mm＋１０mm＝１４５mm）となり、Ｌ字形状のタイル５の短辺５ｂの横方向の幅寸法４５mmと、平板形状のタイル６の横方向の幅寸法９５mmと、縦目地幅５mmとを加えると１４５mm（４５mm＋９５mm＋５mm）となり、両者の横方向の幅寸法を一致させることが出来る。
【００８１】
尚、前述と同様にＡＬＣコーナーパネル２の横方向に隣設されるＡＬＣ平面パネル１の表面には横方向に平板形状のタイル６が縦目地幅５mmのピッチで必要な枚数張り付けられ、ＡＬＣコーナーパネル２の表面両端部に張り付けられた平板形状のタイル６，７とＡＬＣ平面パネル１の表面端部に張り付けられた平板形状のタイル６とは縦目地部３に対応する位置でシーリング縦目地部８により接続される。
【００８２】
上記構成によれば、横方向の幅寸法が１３５mm×１３５mmのＡＬＣコーナーパネル２を使用したことでコーナー部の端部から１４５mm程度離れた極めて近接した位置にシーリング縦目地部８がコーナー左右の壁に対称的に現れるので建築物の外観上の美観を更に向上させることが出来る。他の構成は前記第１実施形態と同様に構成され、同様な効果を得ることが出来る。
【００８３】
また、図示しない他の構成として、前記▲１▼式で「ｎ＝１」とすると、ＡＬＣコーナーパネル２の横方向の等辺幅寸法Ｗｎ＝８５mmとなる。そして、前述と同様にＡＬＣ平面パネル１及びＡＬＣコーナーパネル２の表面には３mmの厚さのモルタル４が設けられ、該モルタル４を介してＬ字形状のタイル５を該ＡＬＣコーナーパネル２のコーナー部表面に張り付ける。
【００８４】
ＡＬＣコーナーパネル２自体の横方向の幅寸法は８５mm×８５mmであるものの、モルタル４及びＬ字形状のタイル５の厚さ（３mm＋７mm＝１０mm）が加わって該Ｌ字形状のタイル５の表面部位でのコーナー部の横方向の幅寸法は９５mm（８５mm＋１０mm＝９５mm）となり、Ｌ字形状のタイル５の長辺５ａの横方向の幅寸法９５mmと一致させることが出来る。
【００８５】
また、Ｌ字形状のタイル５の短辺５ｂに横方向に隣設して縦目地幅を５mmに設定し、横方向に平板形状のタイル７をＡＬＣコーナーパネル２の平面部表面に張り付ける。
【００８６】
ここでも同様にＡＬＣコーナーパネル２自体の横方向の幅寸法は８５mm×８５mmであるものの、モルタル４及びＬ字形状のタイル５の厚さ（３mm＋７mm＝１０mm）が加わって両タイル５，７の表面部位でのコーナー部の横方向の幅寸法は９５mm（８５mm＋１０mm＝９５mm）となり、Ｌ字形状のタイル５の短辺５ｂの横方向の幅寸法４５mmと、平板形状のタイル７の横方向の幅寸法４５mmと、縦目地幅５mmとを加えると９５mm（４５mm×２＋５mm）となり、両者の横方向の幅寸法を一致させることが出来る。
【００８７】
尚、前述と同様にＡＬＣコーナーパネル２の横方向に隣設されるＡＬＣ平面パネル１の表面には横方向に平板形状のタイル６が縦目地幅５mmのピッチで必要な枚数張り付けられ、ＡＬＣコーナーパネル２の表面両端部に張り付けられたＬ字形状のタイル５と平板形状のタイル７とＡＬＣ平面パネル１の表面端部に張り付けられた平板形状のタイル６とは縦目地部３に対応する位置でシーリング縦目地部８により接続される。
【００８８】
上記構成によれば、横方向の幅寸法が８５mm×８５mmのＡＬＣコーナーパネル２を使用したことでコーナー部の端部から９５mm程度離れた極めて近接した位置にシーリング縦目地部８がコーナー左右の壁に対称的に現れるので建築物の外観上の美観を更に向上させることが出来る。他の構成は前記第１実施形態と同様に構成され、同様な効果を得ることが出来る。
【００８９】
また、同様に、前記▲１▼式で「ｎ＝４，５，６，……」とすると、ＡＬＣコーナーパネル２の横方向の等辺幅寸法Ｗｎが適宜設定され、前述と同様にＡＬＣ平面パネル１及びＡＬＣコーナーパネル２の表面に３mmの厚さのモルタル４を設け、該モルタル４を介してＬ字形状のタイル５を該ＡＬＣコーナーパネル２のコーナー部表面に張り付け、更に横方向に平板形状のタイル６，７をＡＬＣコーナーパネル２の平面部表面に必要な枚数だけ適宜組み合わせて張り付けることで前述と同様な効果を得ることが出来る。
【００９０】
ただし、コーナー部の端部から近接した位置にシーリング縦目地部８がコーナー左右の壁に対称的に現れて建築物の外観上の美観を向上させることが出来る限度はＡＬＣコーナーパネル２の横方向の幅寸法が１９０mm×１９０mm以下であることが望ましく、前記▲１▼式で「ｎ≧４」とすると、ＡＬＣコーナーパネル２の横方向の等辺幅寸法「Ｗｎ≧２３５mm」となってやや外観上の美観は低下するものの前述と同様にＡＬＣコーナーパネル２とＡＬＣ平面パネル１との間の縦目地部３とＡＬＣ平面パネル１及びＡＬＣコーナーパネル２の表面に張り付けた各タイル間のシーリング縦目地部８の位置とを確実に一致させることが出来、従来例のように必要以上に縦目地幅が大きくなることがないので外観上の美観を維持することが出来、シーリング材の使用量を低減して材料コストを低減すると共に施工時に十分なシーリング部の押さえが出来るのでシーリング材の接着不良が生じることもなく漏水の発生を未然に防止することが出来る。
【００９１】
また、ＡＬＣコーナーパネル２の表面に張り付けたタイルとＡＬＣ平面パネル１の表面に張り付けたタイルとがＡＬＣコーナーパネル２とＡＬＣ平面パネル１との間の縦目地部３及びこれに対応するタイル間のシーリング縦目地部８を介して完全に分離した構造であるので地震時等で建築物が振動した場合にタイルが脱落したり、亀裂が発生して破損する虞がなく地震がおさまった後の補修作業も必要ない。
【００９２】
次に図４を用いて本発明に係るＡＬＣコーナーパネル及びＡＬＣコーナーパネルとその表面に固着される表面材の取付構造の第３実施形態について説明する。尚、前記各実施形態と同様に構成したものは同一の符号を付して説明を省略する。
【００９３】
ここで、第２発明ではＡＬＣコーナーパネル２は横方向に一方の辺幅寸法が１００mm×ｎ＋９５mm−１０mm（ｎは正の整数）で、他方の辺幅寸法が１００mm×ｎ＋４５mm−１０mm（ｎは正の整数）である不等辺幅寸法を有し、該ＡＬＣコーナーパネル２の表面に横方向にＬ字形状のタイル５及び平板形状のタイル６を適宜組み合わせて固着して構成したものである。
【００９４】
上記構成において、ＡＬＣコーナーパネル２の横方向の不等辺幅寸法Ｗan（長辺２ａ側）及びＷbn（短辺２ｂ側）は以下に示す▲２▼，▲３▼式の「ｎ」の値を適宜選択することにより設定される。
【００９５】
【数４】
0004010635.tif 000005
【００９６】
図４に示す本実施形態はその一例を示すものであり、前記▲２▼，▲３▼式で「ｎ＝１」とすると、ＡＬＣコーナーパネル２の横方向の長辺２ａの幅寸法Ｗan＝１８５mm、短辺２ｂの幅寸法Ｗbn＝１３５mmとなる。
【００９７】
そして、図４に示すように、ＡＬＣ平面パネル１及びＡＬＣコーナーパネル２の表面には３mmの厚さのモルタル４が設けられ、該モルタル４を介してＬ字形状のタイル５を該Ｌ字形状のタイル５の長辺５ａとＡＬＣコーナーパネル２の長辺２ａ同士が対応するように該ＡＬＣコーナーパネル２のコーナー部表面に張り付け、更にＬ字形状のタイル５の長辺５ａに横方向に隣設して縦目地幅を５mmに設定し、横方向に平板形状のタイル６をＡＬＣコーナーパネル２の平面部表面に張り付ける（図４の下側面参照）。
【００９８】
ＡＬＣコーナーパネル２自体の横方向の長辺２ａの幅寸法は１８５mmであるものの、モルタル４及びＬ字形状のタイル５の厚さ（３mm＋７mm＝１０mm）が加わって両タイル５，６の表面部位でのコーナー部の横方向の長辺側の幅寸法は１９５mm（１８５mm＋１０mm＝１９５mm）となり、Ｌ字形状のタイル５の長辺５ａの横方向の幅寸法９５mmと、平板形状のタイル６の横方向の幅寸法９５mmと、縦目地幅５mmとを加えると１９５mm（９５mm＋９５mm＋５mm）となり、両者の横方向の幅寸法を一致させることが出来る。
【００９９】
また、前記Ｌ字形状のタイル５の短辺５ｂに横方向に隣設して縦目地幅を５mmに設定し、横方向に平板形状のタイル６をＡＬＣコーナーパネル２の平面部表面に張り付ける（図４の左側面参照）。
【０１００】
ＡＬＣコーナーパネル２自体の横方向の短辺２ｂの幅寸法は１３５mmであるものの、モルタル４及びＬ字形状のタイル５の厚さ（３mm＋７mm＝１０mm）が加わって両タイル５，６の表面部位でのコーナー部の横方向の短辺側の幅寸法は１４５mm（１３５mm＋１０mm＝１４５mm）となり、Ｌ字形状のタイル５の短辺５ｂの横方向の幅寸法４５mmと、平板形状のタイル６の横方向の幅寸法９５mmと、縦目地幅５mmとを加えると１４５mm（４５mm＋９５mm＋５mm）となり、両者の横方向の幅寸法を一致させることが出来る。
【０１０１】
尚、前述と同様にＡＬＣコーナーパネル２の横方向に隣設されるＡＬＣ平面パネル１の表面には横方向に平板形状のタイル６が縦目地幅５mmのピッチで必要な枚数張り付けられ、ＡＬＣコーナーパネル２の表面両端部に張り付けられた平板形状のタイル６とＡＬＣ平面パネル１の表面端部に張り付けられた平板形状のタイル６とは縦目地部３に対応する位置でシーリング縦目地部８により接続される。
【０１０２】
これにより、前述と同様にＡＬＣ平面パネル１とＡＬＣコーナーパネル２との間の縦目地部３とＡＬＣ平面パネル１及びＡＬＣコーナーパネル２の表面に張り付けた各平板形状のタイル６間のシーリング縦目地部８との位置を確実に一致させることが出来、従来例のように必要以上に縦目地幅が大きくなることがないので建築物の外観上の美観を維持することが出来、シーリング材の使用量を低減して材料コストを低減すると共に施工時に十分なシーリング部の押さえが出来るのでシーリング材の接着不良が生じることもなく漏水の発生を未然に防止することが出来る。
【０１０３】
また、横方向の長辺２ａの幅寸法が１８５mm、短辺２ｂの幅寸法が１３５mmの不等辺幅寸法を有するＡＬＣコーナーパネル２を使用したことでシーリング縦目地部８がコーナー左右の壁に非対称的に現れるので建築物の外観上の美観は前述の等辺幅寸法を有するＡＬＣコーナーパネル２を使用した場合と比較してやや低下するものの該シーリング縦目地部８がコーナー部の端部から極めて近接した位置に現れるので外観上の美観が向上する。
【０１０４】
また、本実施形態では図２（ｃ）に示した「５０角」と称する平板形状のタイル（横寸法４５mm×縦寸法４５mm；モジュール５０×５０）７を使用する必要がないので使用するタイルの種類を削減して部品コストを低減することが出来る。
【０１０５】
また、ＡＬＣ平面パネル１の表面に張り付けた平板形状のタイル６とＡＬＣコーナーパネル２の表面に張り付けたタイル５，６とがＡＬＣ平面パネル１とＡＬＣコーナーパネル２との間の縦目地部３及びこれに対応する各平板形状のタイル６間のシーリング縦目地部８を介して完全に分離した構造であるので地震時等で建築物が振動した場合にタイルが脱落したり、亀裂が発生して破損する虞がなく地震がおさまった後の補修作業も必要ない。
【０１０６】
尚、同様に前記▲２▼，▲３▼式で「ｎ＝２，３，４，……」とすると、ＡＬＣコーナーパネル２の横方向の不等辺幅寸法Ｗan（長辺２ａ）、Ｗbn（短辺２ｂ）が適宜設定され、前述と同様にＡＬＣ平面パネル１及びＡＬＣコーナーパネル２の表面に３mmの厚さのモルタル４を設け、該モルタル４を介してＬ字形状のタイル５を該Ｌ字形状のタイル５の長辺５ａとＡＬＣコーナーパネル２の長辺２ａ同士が対応するように該ＡＬＣコーナーパネル２のコーナー部表面に張り付け、更に横方向に９５mmの幅寸法を有する平板形状のタイル６をＡＬＣコーナーパネル２の平面部表面に必要な枚数だけ適宜組み合わせて張り付けることで前述と同様な効果を得ることが出来る。
【０１０７】
前記▲２▼，▲３▼式で「ｎ≧２」とすると、ＡＬＣコーナーパネル２の横方向の不等辺幅寸法「Ｗan≧２８５mm、Ｗbn≧２３５mm」となって建築物の外観上の美観はやや低下するものの前述と同様にＡＬＣ平面パネル１とＡＬＣコーナーパネル２との間の縦目地部３とＡＬＣ平面パネル１及びＡＬＣコーナーパネル２の表面に張り付けた各タイル間のシーリング縦目地部８の位置とを確実に一致させることが出来、従来例のように必要以上に縦目地幅が大きくなることがないので外観上の美観を維持することが出来る。
【０１０８】
尚、前記各実施形態では、３mmの厚さのモルタル４と７mmの厚さのＬ字形状のタイル５及び平板形状のタイル６，７を用いた場合について説明したが、各タイル５，６，７の厚さは１０mm以下であれば良く、該タイル５，６，７の厚さに応じてモルタル４の厚さを調整してタイル５，６，７を張り付けることが可能である。
【０１０９】
例えば、９mmの厚さのタイル５，６，７を用いてモルタル４の厚さを１mmとしてタイル５，６，７を張り付けることにより、モルタル４及びタイル５，６，７の厚さの合計を１０mmに調整することが出来、更には他の所望する寸法の厚さのタイル５，６，７を用いてモルタル４の厚さを該タイル５，６，７の厚さに応じて適宜設定してタイル５，６，７を張り付けることにより、モルタル４及びタイル５，６，７の厚さの合計を１０mmに調整することでも良い。
【０１１０】
尚、前記各実施形態では、ＡＬＣコーナーパネル２の長手方向が建築物の高さ方向に配置される場合について説明したが、他の構成としてＡＬＣコーナーパネル２の長手方向が建築物の水平方向に配置され、該ＡＬＣコーナーパネル２に隣設してＡＬＣ平面パネル１が横目地部を介して接続された場合でも同様に構成して同様な効果を得ることが出来る。
【０１１１】
【発明の効果】
本発明は、上述の如き構成と作用とを有するので、ＡＬＣコーナーパネルのパネル厚さを７５mm以上で構成した場合には、建築物のコーナー部分の耐火性能を２時間耐火以上の性能として確保することが出来る。
【０１１２】
また、ＡＬＣコーナーパネルを横方向に１９０mm以下の辺幅寸法で構成した場合には、コーナー部の端部から１９０mm程度以内の範囲で離れた極めて近接した位置にシーリング目地部が現れるので建築物の外観上の美観を向上させることが出来る。特に等辺幅寸法で構成した場合にはコーナー左右の壁に対称的にシーリング目地部が現れるので建築物の外観上の美観を更に向上させることが出来る。
【０１１３】
また、本発明に係るＡＬＣコーナーパネルとその表面に固着される表面材の取付構造によれば平面パネルとＡＬＣコーナーパネルとの間の目地部と平面パネル及びＡＬＣコーナーパネルの表面に張り付けた表面材間のシーリング目地部との位置を確実に一致させることが出来る。
【０１１４】
これにより、従来例のように必要以上に目地幅が大きくなることがないので建築物の外観上の美観を維持することが出来、シーリング材の使用量を低減して材料コストを低減すると共に施工時に十分なシーリング部の押さえが出来るのでシーリング材の接着不良が生じることもなく漏水の発生を未然に防止することが出来る。
【０１１５】
また、平面パネルの表面に張り付けた表面材とＡＬＣコーナーパネルの表面に張り付けた表面材とが平面パネルとＡＬＣコーナーパネルとの間の目地部及びこれに対応する各表面材間のシーリング目地部を介して完全に分離した構造であるので地震時等で建築物が振動した場合に表面材が脱落したり、亀裂が発生して破損する虞がなく地震がおさまった後の補修作業も必要ない。
【図面の簡単な説明】
【図１】本発明に係るＡＬＣコーナーパネルとその表面に固着される表面材の取付構造の第１実施形態の構成を示す横断面説明図である。
【図２】（ａ）〜（ｃ）は各種タイルの構成を示す斜視図である。
【図３】本発明に係るＡＬＣコーナーパネルとその表面に固着される表面材の取付構造の第２実施形態の構成を示す横断面説明図である。
【図４】本発明に係るＡＬＣコーナーパネルとその表面に固着される表面材の取付構造の第３実施形態の構成を示す横断面説明図である。
【図５】従来例の課題を説明する図である。
【図６】従来例の課題を説明する図である。
【符号の説明】
１…ＡＬＣ平面パネル
２…ＡＬＣコーナーパネル
２ａ…長辺
２ｂ…短辺
３…縦目地部
４…モルタル
５…Ｌ字形状のタイル
５ａ…長辺
５ｂ…短辺
６，７…平板形状のタイル
８…シーリング縦目地部
【図１】
0004010635.tif 000006
【図２】
0004010635.tif 000007
【図３】
0004010635.tif 000008
【図４】
0004010635.tif 000009
【図５】
0004010635.tif 000010
【図６】
0004010635.tif 000011